(57)【要約】    【課題】縫い速度を調節するスライドボリウムを備えたミシンであって、縫い速度を調節する際、針先を見ながらでも、縫い速度を容易に調節できるミシンを提供すること。    【解決手段】ベッド部２と、ベッド部２の端部から立設する脚柱部３と、脚柱部３の上端からベッド部２に対面して延在するアーム部４とを備えるミシン１であって、アーム部４に縫い速度を調節するスライドボリウム１０が備えられる。そして、スライドボリウム１０のボリウム部１１をスライドするスライダー１２に調節つまみ１３を吊下げアーム部４の下部に設けると共に、布の送り方向Ｙ１、Ｙ２にのみ自在に回動可能にし、アーム部４の長手方向Ｘ１、Ｘ２にスライドすることにより縫い速度が調節される。【選択図】  図１
2010207540.tif 000002
【特許請求の範囲】
【請求項１】
ベッド部と、前記ベッド部の端部から立設する脚柱部と、前記脚柱部の上端から前記ベッド部に対面して延在すると共に縫い速度調節手段を有するアーム部と、を備えたミシンにおいて、
前記縫い速度調節手段は、前記アーム部の下部に設けられるとともに、スライドして縫い速度を調整する調整部、及び該調整部をスライドさせる操作部とを有し、
前記操作部は、前記調整部に布の送り方向へ回動自在に吊り下げられるとともに、前記布の送り方向に対して直交方向にスライドする、ことを特徴とするミシン。
【請求項２】
前記操作部は、前記アーム部の外面に当接するまで回動自在である、ことを特徴とする請求項１に記載のミシン。
【発明の詳細な説明】
【技術分野】
【０００１】
本発明は、縫い速度を調整するスライドボリウムを備えたミシンに関する。
【背景技術】
【０００２】
ミシンの縫い速度は、フットコントローラの踏み込み量、あるいは、フットコントローラの無いミシンではミシン本体の前面に取付けたスライドボリウムの調節つまみの位置により調節されるのが一般的である。また、フットコントローラとスライドボリウムの両方を備えたミシンも有るが、特に日本では、椅子に腰掛けず座って縫製作業を行うことが多いため、スライドボリウムにより縫い速度を調整する場合が多い。
【０００３】
従来技術のスライドボリウムを備えたミシンとして、図３に示すように、ミシン前面上部に配置した表示パネル５１の図３における左下、即ちアーム部５２の前面の略中央に速度調節ボリウム５３の調節つまみ５３ａを設けたミシン５０が開示されている（例えば、特許文献１参照。）。この調節つまみ５３ａを図３における左右へスライドすることにより縫い速度が調整される。
【０００４】
また、ベッド部と、ベッド部の右端部から立設した脚柱部と、脚柱部の上端からベッド部に対面するように延在するアーム部を有するミシンにおいて、アーム部の前面中央近傍に加工布の搬送速度（縫い速度）を調節するスピードボリウム（スライドボリウム）の操作部を設けたミシンが開示されている（例えば、特許文献２照。）。
【先行技術文献】
【特許文献】
【０００５】
【特許文献１】特開平１０−１６５６８３号公報
【特許文献２】特開２００１−９６０８８号公報
【発明の概要】
【発明が解決しようとする課題】
【０００６】
ミシンの縫製作業において、縫い速度が速い、遅いなどの判断はユーザの個人的感覚に委ねられており、フットコントローラにより、縫い速度を調節する場合では、遅すぎると感じれば更に踏み込み、速すぎると感じれば踏み込み量を減らすことにより瞬時に縫い速度を調節できる。
【０００７】
一方、ミシン本体の前面に取付けた調節つまみにより、縫い速度を調節する場合は、ユーザがスライドボリウムの大まかな目盛りを頼りに縫い速度を設定する。この場合、ユーザの記憶違いや、スライドボリウムのヒステリシス、あるいはミシンの個体差等により、いざスタートスイッチを操作して縫製を開始してみると、想定していた縫い速度とは異なる場合があり、慌てて調節つまみを操作することが頻繁に起こる。
【０００８】
しかしながら、特許文献１および２によれば、スライドボリウムの調節つまみは、縫製前に縫い速度を調節し、縫製開始後は速度を変更しない前提として、ミシン本体前面のアーム部に設置されている。このため、縫製中、縫い速度を変更する場合、ユーザは調節つまみを探すために針先から目を離さなければならず、縫い操作がし難い問題がある。
【０００９】
本発明は上記問題点に鑑みてなされたものであり、縫い速度を調節するスライドボリウムを備えたミシンであって、縫い速度を調節する際、針先を見ながらでも、縫い速度を容易に調節できるミシンを提供することを目的とする。
【課題を解決するための手段】
【００１０】
上記課題を解決するため、請求項１に記載の発明は、ベッド部と、ベッド部の端部から立設する脚柱部と、脚柱部の上端からベッド部に対面して延在するとともに縫い速度調節手段を有するアーム部と、を備えたミシンにおいて、縫い速度調節手段は、前記アーム部の下部に設けられるとともに、スライドして縫い速度を調整する調整部、及び該調整部をスライドさせる操作部とを有し、操作部は、調整部に布の送り方向へ回動自在に吊り下げられるとともに、布の送り方向に対して直交方向にスライドする構成とした。
【００１１】
また、請求項２に記載の発明は、操作部は、前記アーム部の外面に当接するまで回動自在である構成とした。
【発明の効果】
【００１２】
請求項１に記載の発明では、縫い速度調節手段の調節部に吊りさげられた操作部は、アーム部の下部に設けられているので、縫い速度を調節するために操作部を操作する際、布を押さえている手の移動量は少なくて済む。従って、縫製しながらでもフットコントローラと同じように容易に縫い速度を調節できる。
【００１３】
縫い速度調節手段の調節部に吊りさげられた操作部は、アーム部の下部に設けられている。従って、針先を凝視しながらでも操作部を捕捉し易く、縫い作業をしながら縫い速度を容易に調節できると共に、調節部をアーム部の前面に設けた従来技術のミシンに比べて作業がし易くなる。
【００１４】
調節部に吊りさげられた操作部は、布の送り方向へ回動自在で、操作部は布の送り方向（回動方向）に対して直交方向、即ちアーム部の長手方向へスライド可能である。これにより、操作部に作用する力は布の送り方向へは伝わらずフリーで、布の送り方向に対して直交方向へ伝わる。従って、縫製作業中に縫製位置付近の布の塊が送られて操作部に当たっても操作部が布の送り方向へ回動するので、調節部の速度設定位置は維持される。また、上記同じ理由により、例えば、布押さえを設けたアーム部の背面の布押さえレバーを操作する時に、手が操作部にあたっても操作部は布の送り方向へ回動するので、調節部の速度設定位置は維持される。以上により、縫い速度は正常に維持され、出来映えの良い縫製ができる。
【００１５】
また、請求項２に記載の発明では、操作部はアーム部の外面に当接するまで布の送り方向へ回動できる可倒式である。これにより、操作部が回動される際、ベッド部の上面と回動される操作部との間の布が移動できる空間は広くなる。また、操作部は、布の送り方向へ回動自在で、操作部は回動方向に対して直交方向へスライド可能であるので、操作部に作用する力は布の送り方向へは伝わらずフリーで、布の送り方向に対して直交方向へ伝わる。以上により、縫製作業中に縫製位置付近の布の塊が送られて操作部にあたった場合、あるいは、布押さえレバーを操作する時に手が操作部にあたった場合でも、調節部の速度設定位置は維持され、出来映えの良い縫製ができる。
【図面の簡単な説明】
【００１６】
【図１】本発明の実施例に係るミシンの正面図である。
【図２】図１のアーム部の下部に設けたスライドボリウムの拡大斜視図である。
【図３】速度調節ボリウムを備える従来技術のミシンの正面図である。
【発明を実施するための形態】
【００１７】
以下に本発明の実施例を図面を参照しつつ詳細に説明する。
【実施例】
【００１８】
図１は、本発明の実施例に係るミシン１の正面図である。図１に示すように、ミシン１は、ベッド部２と、ベッド部２の図１における右端から立設する脚柱部３と、脚柱部３の上端側からベッド部２の上面２ａに対面して延在するアーム部４とを備える。アーム部４の頭部５の図１における前面左下には、縫製作業の起動と停止を指令するスタート／ストップスイッチ６が設けられ、頭部５の下面５ａからは縫い針２２を取付けた針棒２１と、布押さえ２３が突出している。頭部５の背面には、布押さえ２３を上下に移動させる布押さえレバー２４が設けられている。また、アーム部４の前面には、選択モード表示ＬＥＤ＆選択スイッチ７と、模様番号等選択スイッチ８と、及び主軸回転数、模様番号などを表示する７セグメントＬＥＤ９が設けられている。
【００１９】
図２は、アーム部４の下部に設けた縫い速度を調節するスライドボリウム１０（縫い速度調節手段）の拡大斜視図である。図１及び図２に示すように、スライドボリウム１０は、帯状の電気抵抗体（図示せず）を内蔵したボリウム部１１と、電気抵抗体の表面をスライドするスライダー１２（調節部）と、スライダー１２を指で摘んでスライドさせる調節つまみ１３（操作部）と、ピン１４とから構成さる。ボリウム部１１は、アーム部４の下部の内部に設置される。
【００２０】
スライダー１２は蒲鉾形状の雄側ヒンジ１２ａを備え、雄側ヒンジ１２ａにはピン１４が貫通されるピン孔が開口される。このピン孔の直径は、ピン１４の直径より僅か大きい。調節つまみ１３は、略Ｕ字形状の溝１３ｂを形成する雌側ヒンジ１３ａ、１３ａを備え、雌側ヒンジ１３ａ、１３ａにはピン１４が挿入固定されるピン孔が開口される。このピン孔の直径は、ピン１４の直径より僅かに小さい。
【００２１】
そして、スライダー１２の雄側ヒンジ１２ａに調節つまみ１３の溝１３ｂが狭入され、雄側ヒンジ１２ａと雌側ヒンジ１３ａのそれぞれに設けたピン孔にピン１４を挿入する。これにより調節つまみ１３は、布の送り方向、即ち矢印Ｙ１、Ｙ２方向（図２）へのみ自在に回動可能に吊下られ、雄側ヒンジ１２ａに連結される。また、調節つまみ１３は、アーム部４の下面４ａより下に指で摘める程度突出しており、アーム部４の表面に当接するまで自在に回動できると共に、回動方向に直交する矢印Ｘ１、Ｘ２方向（図２）、即ち、アーム部４の長手方向にスライドできる。従って、調節つまみ１３に作用する力は、布の送り方向Ｙ１、Ｙ２には力は伝わらず、アーム部４の長手方向Ｘ１、Ｘ２へ伝わる。
【００２２】
ユーザが、スタート／ストップスイッチ６を押して縫製作業を開始する。そして、想定していた縫い速度と異なっている場合は、ユーザは調節つまみ１３を矢印Ｘ１あるいはＸ２方向へスライドさせて、縫い速度に調節する。
【００２３】
以上により、スライドボリウム１０の調節つまみ１３は、スライダー１２の雄側ヒンジ１２ａに吊下げられ、アーム部４の下面４ａより下に指で摘まんで操作できる程度突出した状態で取付けられている。従って、縫い速度を調節するために調節つまみ１３を操作する際、布を押さえている手の移動量は少なくて済む。結果、縫製しながらでもフットコントローラと同じように容易に縫い速度を調節できる。
【００２４】
また、調節つまみ１３は、アーム部４の下面４ａより下に指で摘まんで操作できる程度突出した状態で取付けられている。従って、ユーザは、縫い針２２を凝視しながらでも、調節つまみ１３を容易に捕捉できる。結果、縫い作業をしながら縫い速度を容易に調節できると共に、図３に示す速度調節ボリウム５３の調節つまみ５３ａをアーム部５２の前面に設けた従来技術のミシン５０に比べて作業がし易い。
【００２５】
また、調節つまみ１３は、布の送り方向Ｙ１、Ｙ２方向へ回動自在に吊り下げられ、回動方向に対して直交する矢印Ｘ１方向あるいは矢印Ｘ２方向（アーム部の長手方向）へスライド可能である。これにより、調節つまみ１３に作用する力は矢印Ｙ１、Ｙ２方向へは伝わらずフリーで、回動方向に対して直交する矢印Ｘ１方向あるいは矢印Ｘ２方向へのみ伝わる。従って、縫製作業中に縫製位置付近の布の塊が送られて調節つまみ１３に当たっても、スライダー１２の速度設定位置は維持される。また、例えば、アーム部４の頭部５の背面に設けた布押さえレバー２４を操作する時に、手が調節つまみ１３に当たってもスライダー１２の速度設定位置は維持される。以上により、縫い速度は正常に維持され、出来映えの良い縫製ができる。
【００２６】
さらに、調節つまみ１３はアーム部４の外面に当接するまで布の送り方向Ｙ１、Ｙ２へ回動できる可倒式である。これにより、調節つまみ１３が回動される際、ベッド部２の上面２ａと調節つまみ１３との間の布が移動できる空間は広くなる。従って、縫製作業中に縫製位置付近の布の塊が送られて調節つまみ１３にあたった場合、あるいは、布押さえレバー２４を操作する時に手が調節つまみ１３にあたった場合でも、スライダー１２の速度設定位置は維持され、出来映えの良い縫製ができる。
【符号の説明】
【００２７】
１  ミシン
２  ベッド部
３  脚柱部
４  アーム部
１０  スライドボリウム（縫い速度調節手段）
１２  スライダー（調節部）
１３  調節つまみ（操作部）
【図１】
2010207540.tif 000003
【図２】
2010207540.tif 000004
【図３】
2010207540.tif 000005